(57)【要約】【課題】短時間でロータリーフィーダのポケット内に堆積した粉粒体の堆積物を掃除することができ、時間的ロスや経済的ロスの発生を抑制してライン全体の生産性の低下を抑制することができるロータリーフィーダを提供する。【解決手段】胴部と胴部の上部および下部にそれぞれ被供給物の供給部および排出部を有するケーシングと、ケーシングの胴部の内周面に設けられ複数のポケットおよび複数のポケットと共に回転するローターを有するフィーダ本体とを備えており、被供給物がケーシングの供給部からフィーダ本体のポケットに供給され、ケーシングの気密性を保ちながらローターの回転により供給された被供給物が排出部に移動して重力により排出されるロータリーフィーダであって、ケーシングの胴部の一部にフィーダ本体のポケットに対応した脱着可能なまたは開閉可能な掃除用窓が設けられているロータリーフィーダ。【選択図】図１
2015221706.tif 000002
【特許請求の範囲】
【請求項１】
胴部と前記胴部の上部および下部にそれぞれ被供給物の供給部および排出部を有するケーシングと、前記ケーシングの前記胴部の内周面に設けられ、複数のポケットおよび前記複数のポケットと共に回転するローターを有するフィーダ本体とを備えており、前記被供給物が前記ケーシングの前記供給部から前記フィーダ本体の前記ポケットに供給され、前記ケーシングの気密性を保ちながら前記ローターの回転により供給された前記被供給物が前記排出部に移動して重力により排出されるロータリーフィーダであって、
前記ケーシングの前記胴部の一部に、前記フィーダ本体の前記ポケットに対応した脱着可能な掃除用窓が設けられていることを特徴とするロータリーフィーダ。
【請求項２】
胴部と前記胴部の上部および下部にそれぞれ被供給物の供給部および排出部を有するケーシングと、前記ケーシングの前記胴部の内周面に設けられ、複数のポケットおよび前記複数のポケットと共に回転するローターを有するフィーダ本体とを備えており、前記被供給物が前記ケーシングの前記供給部から前記フィーダ本体の前記ポケットに供給され、前記ケーシングの気密性を保ちながら前記ローターの回転により供給された前記被供給物が前記排出部に移動して重力により排出されるロータリーフィーダであって、
前記ケーシングの前記胴部の一部に、前記フィーダ本体の前記ポケットに対応した開閉可能な掃除用窓が設けられていることを特徴とするロータリーフィーダ。
【請求項３】
前記掃除用窓が開口されたときの面積が、前記ポケットの１個における開口面積以上であることを特徴とする請求項１または請求項２に記載のロータリーフィーダ。
【発明の詳細な説明】
【技術分野】
【０００１】
本発明は、バンバリーミキサーラインなどにおいて集塵系統の補機として配置されるロータリーフィーダに関する。
【背景技術】
【０００２】
バンバリーミキサーなどを用いてゴム練りを行うラインにおいては、一般に、粉体材料の投入時において発生する粉塵などを回収する集塵系統の補機としてロータリーフィーダが配置されている。
【０００３】
このロータリーフィーダは、ケーシングと、ケーシングの内部に設けられたフィーダ本体とを備えている。ケーシングは胴部と、胴部の上下のそれぞれに連結された粉粒体（被供給物）の供給部および排出部を備えている。フィーダ本体はケーシングの胴部の内部で回転するローターと複数のポケットとを備えており、ポケットはローターと共にケーシングの胴部の内周面に沿って回転するように構成されている。
【０００４】
ケーシング上部の供給部から供給された粉粒体（被供給物）はフィーダ本体のポケットに供給され、ケーシング上下の気密性を保ちながらローターの回転に合わせて下方の排出部に移動した後、排出部から重力により排出される（例えば、特許文献１）。
【先行技術文献】
【特許文献】
【０００５】
【特許文献１】特開２００８―３７５０８号公報
【発明の概要】
【発明が解決しようとする課題】
【０００６】
しかしながら、このようなロータリーフィーダを集塵系統の補機として使用した場合、被供給物である粉粒体は湿気を帯びており（湿性粉粒体）、フィード本体のポケットの内側接触面に付着して堆積し易いため、粉粒体をロータリーフィーダを介して移送しようとすると、フィード本体のポケット内空間に粉粒体が堆積して、移送効率が低下する。
【０００７】
そこで、従来より、定期的にロータリーフィーダの運転を停止させて、ケーシングの上下連結部を取り外してフィーダ本体を取り出した後、フィード本体のポケット内に堆積した粉粒体を機械的に掃除するようにしていたが、ロータリーフィーダの運転停止に伴う時間的ロスや経済的ロスが発生していた。
【０００８】
また、補機である集塵系統のロータリーフィーダの運転を停止させて定期的に掃除しようとした場合には、本機ラインについても全体を停止させる必要があるため、さらに大きな時間的ロスや経済的ロスが発生して、ライン全体の生産性が低下するという問題があった。
【０００９】
そこで、ローターの駆動軸を片持ち型にし、反駆動側側面を簡易に開放できケーシングの胴部からその内部にあるローターを取り出せるタイプのロータリーフィーダが提案されたが、このロータリーフィーダは片持ち構造であるため、ローターの位置決め剛性が低下してローターとケーシングの胴部の内周面との間で安定したクリアランスを確保することができず、粉体移送には適さない。
【００１０】
このため、本発明は、短時間でロータリーフィーダのポケット内に堆積した粉粒体の堆積物を掃除することができ、時間的ロスや経済的ロスの発生を抑制して、ライン全体の生産性の低下を抑制することができるロータリーフィーダを提供することを課題とする。
【課題を解決するための手段】
【００１１】
請求項１に記載の発明は、
胴部と前記胴部の上部および下部にそれぞれ被供給物の供給部および排出部を有するケーシングと、前記ケーシングの前記胴部の内周面に設けられ、複数のポケットおよび前記複数のポケットと共に回転するローターを有するフィーダ本体とを備えており、前記被供給物が前記ケーシングの前記供給部から前記フィーダ本体の前記ポケットに供給され、前記ケーシングの気密性を保ちながら前記ローターの回転により供給された前記被供給物が前記排出部に移動して重力により排出されるロータリーフィーダであって、
前記ケーシングの前記胴部の一部に、前記フィーダ本体の前記ポケットに対応した脱着可能な掃除用窓が設けられていることを特徴とするロータリーフィーダである。
【００１２】
請求項２に記載の発明は、
胴部と前記胴部の上部および下部にそれぞれ被供給物の供給部および排出部を有するケーシングと、前記ケーシングの前記胴部の内周面に設けられ、複数のポケットおよび前記複数のポケットと共に回転するローターを有するフィーダ本体とを備えており、前記被供給物が前記ケーシングの前記供給部から前記フィーダ本体の前記ポケットに供給され、前記ケーシングの気密性を保ちながら前記ローターの回転により供給された前記被供給物が前記排出部に移動して重力により排出されるロータリーフィーダであって、
前記ケーシングの前記胴部の一部に、前記フィーダ本体の前記ポケットに対応した開閉可能な掃除用窓が設けられていることを特徴とするロータリーフィーダである。
【００１３】
請求項３に記載の発明は、
前記掃除用窓が開口されたときの面積が、前記ポケットの１個における開口面積以上であることを特徴とする請求項１または請求項２に記載のロータリーフィーダである。
【発明の効果】
【００１４】
本発明によれば、短時間でロータリーフィーダのポケット内に堆積した粉粒体の堆積物を掃除することができ、時間的ロスや経済的ロスの発生を抑制して、ライン全体の生産性の低下を抑制することができるロータリーフィーダを提供することができる。
【図面の簡単な説明】
【００１５】
【図１】本発明の実施の形態に係るロータリーフィーダを示す図であって、（ａ）は平面図、（ｂ）は正面図である。
【図２】本発明の実施の形態に係るロータリーフィーダを示す側断面図である。
【図３】図２のＡ−Ａ矢視図である。
【発明を実施するための形態】
【００１６】
以下、本発明を実施の形態に基づき、図面を用いて説明する。
【００１７】
図１は本実施の形態に係るロータリーフィーダを示す図であって、（ａ）は平面図、（ｂ）は正面図であり、図２は本実施の形態に係るロータリーフィーダを示す側断面図であり、図３は図２のＡ−Ａ矢視図である。
【００１８】
本実施の形態に係るロータリーフィーダは、基本的な構成は、従来のロータリーフィーダと同様の構成であり、ケーシング１と、ケーシング１の内部に設けられたフィーダ本体とを備えている。ケーシング１は胴部１ａと、胴部１ａの上下のそれぞれに連結された粉粒体（被供給物）の供給部１０および排出部１１を備えている。フィーダ本体はケーシング１の胴部１ａの内部で回転するローター２と複数のポケット３を備えており、ポケット３はローター２と共にケーシング１の胴部１ａの内周面に沿って回転するように構成されている。
【００１９】
そして、このロータリーフィーダにおいては、従来と同様に、ケーシング１上部の供給部１０から供給された粉粒体（被供給物）はフィーダ本体のポケット３に供給され、ケーシング１の上下の気密性を保ちながらローター２の回転に合わせて下方の排出部に移動した後、排出部１１から重力により排出される。
【００２０】
しかし、本実施の形態においては、ケーシング１の胴部１ａの一部に、フィード本体のポケット３に対応した脱着可能な掃除用窓６が設けられている点で、従来のロータリーフィーダと異なっている。このような脱着可能な掃除用窓６が設けられているため、従来のように、ケーシングの上下連結部を取り外してフィーダ本体を取り出して掃除する必要がなく、また、ロータリーフィーダの運転を長時間停止させる必要がなくなるため、時間的ロスや経済的ロスの発生を抑制することができる。
【００２１】
以下、本実施の形態に係るロータリーフィーダについて具体的に説明する。
【００２２】
１．ロータリーフィーダ
（１）ロータリーフィーダの基本的な構成
前記したように、本実施の形態に係るロータリーフィーダは、基本的な構成は従来のロータリーフィーダと同様の構成であり、ケーシング１とフィーダ本体とを備えている。
【００２３】
図３に示すように、ケーシング１は、胴部１ａと、胴部１ａの上部および下部において開口する供給部１０および排出部１１と、図２に示すようにケーシング１の両サイドを閉塞するサイドプレート１２、１３を備えている。
【００２４】
そして、ケーシング１の供給部１０および排出部１１は、それぞれホッパー（図示せず）および輸送管（図示せず）に連結されている。
【００２５】
フィーダ本体は、サイドプレート１２、１３間に配置されたローター２と、胴部１ａの中心部分を貫通してローター２を回転駆動させる駆動軸５と、駆動軸５の端部を支持する軸受１５およびシール部１６とを備えており、駆動軸５はモータ４（図１（ｂ）参照）を駆動源としてケーシング１の胴部１ａ内で回転する。
【００２６】
さらに、フィーダ本体は、図３に示すように、ケーシング１における胴部１ａの内部で回転するローター２と複数のポケット３（図３では１２個）を備えており、ポケット３は駆動軸５により回転するローター２と共にケーシング１の胴部１ａの内周面に沿って回転する。なお、これら複数のポケット３はベーン１７によって形成されている。
【００２７】
このような構成のロータリーフィーダにおいて、被供給物がホッパー（図示せず）を通じてケーシング１の供給部１０からフィード本体に供給されると、被供給物はポケット３と胴部１ａの内周壁面とで形成された収容空間９に収容される。収容された被供給物は、ケーシング１の上部および下部の気密性を保ちながらローター２の回転により排出部１１に移動して、排出部１１から重力により輸送管（図示せず）から排出される。即ち、供給部１０が集塵機下部と密接している一方、排出部１１が大気開放であるため、ローター２とケーシング１との小隙間で集塵機内の負圧により気密性を保ちながら被供給物が排出される。
【００２８】
（２）本実施の形態に係るロータリーフィーダの特徴
前記したように、本実施の形態に係るロータリーフィーダにおいては、ケーシング１の胴部１ａの一部に、ローター２のポケット３に対応して脱着可能な掃除用窓６が設けられている（図３参照）。掃除用窓６は、ケーシング１の胴部１ａに設けられた窓開口部６ａに、取っ手６ｂ付きの蓋６ｃを窓取付ボルト７で脱着自在に取り付けて構成されている。
【００２９】
窓開口部６ａは、開口されたときの面積が、ポケット３の１個における開口面積以上となるように設けられており、蓋６ｃを取り外して窓開口部６ａを開放することによって、ローター２のポケット３の正面部からポケット３内の堆積物を容易に取り出して掃除することができる。なお、図３中の符号８は窓パッキンである。
【００３０】
そして、ポケット３の掃除を完了すればローター２を間欠動作させ、次の未掃除箇所のポケット３を窓開口部６ａの位置まで送り込む。この動作を繰り返せば、従来のように定期的にロータリーフィーダおよび本機ラインの運転を停止させて、ケーシングの上下連結部を取り外してフィーダ本体を取り出した後、フィード本体のポケット内の粉粒体の堆積物を機械的に掃除するというような大きな機械的人的工事をすることなく、湿性粉粒体であっても、短時間にロータリーフィーダ１台分の掃除を行うことが可能となる。
【００３１】
なお、本実施の形態では、掃除用窓６の蓋６ｃが脱着自在であるとして説明したが、これに限らず、窓取付ボルト７の一方を蝶番などに替えて掃除用窓６の蓋６ｃを開閉自在に構成させてもよい。
【００３２】
２．本実施の形態の効果
上記のように、本実施の形態によれば、ケーシング１の胴部１ａの一部に設けられた掃除用窓６の蓋６ｃを取り外す、または開くことにより、ケーシング１の胴部１ａの窓開口部６ａを開口して、ポケット３の掃除を行うことができる。
【００３３】
そして、この掃除はロータリーフィーダの運転を短時間停止させるだけで、ケーシング１の供給部１０および排出部１１をホッパーおよび輸送管から取り外すことなく、窓開口部６ａを通じてローター２のポケット３の正面部からポケット３内の堆積物を短時間で機械的に除去することができる。
【００３４】
この結果、ロータリーフィーダの運転停止に伴って発生する時間的ロスや経済的ロスを抑制することができる。さらに、本機ラインについても長時間停止させる必要がなくなるため、大きな時間的ロスや経済的ロスが発生せず、ライン全体の生産性が向上する。
【００３５】
以上、本発明を実施の形態に基づいて説明したが、本発明は上記の実施の形態に限定されるものではない。本発明と同一および均等の範囲内において、上記の実施の形態に対して種々の変更を加えることができる。
【符号の説明】
【００３６】
１          ケーシング
１ａ        胴部
２          ローター
３          ポケット
４          モータ
５          駆動軸
６          掃除用窓
６ａ        窓開口部
６ｂ        取っ手
６ｃ        蓋
７          窓取付ボルト
８          窓パッキン
９          収容空間
１０        供給部
１１        排出部
１２、１３  サイドプレート
１４        回転シャフト
１５        軸受
１６        シール部
１７        ベーン
【図１】
2015221706.tif 000003
【図２】
2015221706.tif 000004
【図３】
2015221706.tif 000005